(57)【要約】【課題】　歩道及び車道の安全を確保しつつ、施工現場において、ポール式標識を短時間でしかもごく簡単に直立固定し完了させることができ、且つ倒れにくい段付Ｕ字型側溝に被せる側溝用コンクリート蓋を提供する。【解決手段】　ポール式標識のポールを中央部に設けた縦孔２に直立固定する側溝用コンクリート蓋１において、前記縦孔２の下部より複数のボルト孔５を貫設したフランジ４上面にポール嵌合筒３を垂設してなるポールスタンドＳを当て込んでポール嵌合筒３の上部を側溝用コンクリート蓋１表面より突出させるとともに前記フランジ４のボルト孔５と合致させて側溝用コンクリート蓋１の裏面に設けた雌ネジインサート６へ固定ボルト７を螺着して成るものである。【選択図】　　図１
2004076582.tif 000002
【特許請求の範囲】
【請求項１】
　ポール式標識のポール（Ｐ）の中央部に設けた縦孔（２）に直立固定する側溝用コンクリート蓋（１）において、前記縦孔（２）の下部より複数のボルト孔（５）を貫設したフランジ（４）上面にポール嵌合筒（３）を垂設して成るポールスタンド（Ｓ）を当て込んで前記ポール嵌合筒（３）の上部を側溝用コンクリート蓋（１）表面より突出させるとともに前記フランジ（４）のボルト孔（５）と合致させて側溝用コンクリート蓋（１）の裏面に設けた雌ネジインサート（６）へ固定ボルト（７）を螺着して成るポール式標識取付け型側溝用コンクリート蓋。
【発明の詳細な説明】
【技術分野】
【０００１】
　本発明は、段付Ｕ字型側溝に被せる側溝用コンクリート蓋にポール式標識を直立させられるようにしたポール式標識取付け型側溝用コンクリート蓋に関する。
【背景技術】
【０００２】
　これまでの通常の標識ポールは、歩道か又は歩道と車道の境界に直立させてその下部をコンクリートなどで固定してある。そして、それらの中には歩道が狭い場合にはその歩道の真ん中に立てられているものもある。さらに、歩道スペースさえない狭い道路では車道にまではみだして立てられているものもある。
【０００３】
　これらは、歩行者の妨害になり歩きにくくなるばかりではなく、その標識ポールを避けて歩行者が車道側にはみ出すと、走行車に衝突される危険性がある。また自動車の走行や停止の障害ともなり、自動車が接触や衝突を起こして、標識ポールを湾曲させたり倒壊させたりする事故が頻発している。
　また、標識ポールの設置の施工時に通行規制をされると交通渋滞を引き起こし大変迷惑である。
【０００４】
　そこで、先にコンクリート製の段付Ｕ字型側溝の側溝蓋にポール式標識を直立支持する装置（特許文献１）を提案した。
　しかし、その装置は、ポール式標識を固定するために設置現場においてモルタル詰めするなどの時間と手間を要していた。
　さらに、モルタルが固化するまでの養生期間を必要とし、施工後もしばらく囲いなどして保護しなければならなかった。
　また、ポール式標識の標識面積が大きい場合、その面にまともに強風を受けると倒れやすい難点があった。そのため、側溝と側溝蓋との接触面に接着剤を塗って固着する方法が用いられている。
【特許文献１】実用新案登録第３０２５７０５号公報
【発明の開示】
【発明が解決しようとする課題】
【０００５】
　本発明は上記実情に鑑みてなされたもので、コンクリート製の段付Ｕ字型側溝の側溝用コンクリート蓋に着目し、歩道及び車道の通行安全を確保しつつ、現場施工においてポール式標識を短時間でしかもごく簡単に直立固定し完了させることができ、且つ倒れにくい側溝蓋を提供するものである。
【課題を解決するための手段】
【０００６】
　上記課題を解決するために、本発明のポール式標識取付け型側溝用コンクリート蓋は、ポール式標識のポールＰを中央部に設けた縦孔２に直立固定する側溝用コンクリート蓋１において、前記縦孔２の下部より複数のボルト孔５を貫設したフランジ４上面にポール嵌合筒３を垂設して成るポールスタンドＳを当て込んでポール嵌合筒３の上部を側溝用コンクリート蓋１表面より突出させるとともに前記フランジ４のボルト孔５と合致させて側溝用コンクリート蓋１の裏面に設けた雌ネジインサート６へ固定ボルト７を螺着して成るものである。
【発明の効果】
【０００７】
　本発明は以上のようであり、工場生産によりそのまま現地に設置することもできるが、多数を設置するには側溝用コンクリート蓋１とポール嵌合筒３とを分離すると一度に多くを積んで運ぶことができる。そのため現場において組み立てる場合に、これまでは側溝用コンクリート蓋とポール嵌合筒３とがモルタル充填などの充填材による固着方法を採っていたために充填材が硬化し施工が完了するまでに時間を要していたが、本発明では、充填材を必要としない固定ボルト７による固定で強度は充分確保できるために、固定ボルト７を締めれば養生期間を必要とせずに短時間で簡単に組み立てを完了させることができるようになった。そして、このことは充填材注入工程の省略となりコストダウンが大幅に実現する。
【０００８】
　また、前記フランジ４の側溝用コンクリート蓋直列方向端部４ａに延出部１０を有する形態では、ポール式標識の標識面が通常道路方向（側溝方向）に向いているので、その方向にまともに強風を受けても両側のコンクリート蓋が重しとなって容易には倒れず安心であり、且つポールＰが倒れ難いのでその分立て直しなどに要する管理の手間も省ける。
【０００９】
　そして、通常は自動車も歩行者も通らない段付Ｕ字型側溝の上部空間に、極めて簡単且つ確実にポール式標識を直立支持することができるようになり、歩道及び車道における歩行者と自動車の通行障害が同時に解消され、今までのようなポール式標識に絡んだ交通事故を減らすことに役立つことになる。
【発明を実施するための最良の形態】
【００１０】
　本発明の実施の形態を以下その実施例を示す図で詳しく説明する。
　本発明は、図１に示すように、ポール式標識のポールＰを中央部に設けた縦孔２に直立固定する側溝用コンクリート蓋１におけるものである。
　そして、図２に示すように、周囲に複数のボルト孔５を間隔置きに貫設した金属フランジ４上面に前記縦孔２に挿通可能且つポールＰが挿入可能なサイズの金属製ポール嵌合筒３を直立させてその下端部３ａを溶接して成るポールスタンドＳを作成する。
【００１１】
　また、前記側溝用コンクリート蓋１は、あらかじめその裏面に前記ポールスタンドＳのボルト孔５に合致対応する部位に雌ネジインサート６（アンカーとも呼ばれている）を垂直に打ち込んで埋設しておく。
【００１２】
　そして、組み立て場にて、図３に示すように、前記ポールスタンドＳを前記縦孔２の下部より当て込んでポール嵌合筒３の上部を側溝用コンクリート蓋１表面より突出させ、同時に前記フランジ４のボルト孔５と合致させて側溝用コンクリート蓋１の裏面に雌ネジインサート６へ固定ボルト７を螺着して一体的になるように強固に固定する。
【００１３】
　縦孔にポール嵌合筒を固定する方法が、固定ボルトによる固定ではなく、これまでのモルタル固定方式の場合には、モルタルが隙間全部に充分充填されて強度が充分確保されなければならないために隙間を１５ｍｍ程度と広く設けていたが、本発明では単に防水シ−ル材を隙間に被せるものなので、その隙間は２ｍｍ程度とする。
【００１４】
　また、図４に示すように、その隙間に雨水などの流入を防止してポールＰの腐食を防ぐために、前記側溝用コンクリート蓋１の縦孔２とポール嵌合筒３との隙間にシ−ル材８を、例えばモルタルや樹脂系のシ−ル材８を注入させたり、ゴム製や合成樹脂製などのパッキンを嵌めて押し込み使用することもできる。
【００１５】
　前記ポール嵌合筒３には、ポールＰを固定する固定手段９を設けることができる。その固定手段９は、各種の方法が可能であるが、例えば、図５に示すように、固定ボルト１１による固定が可能である。また、ポール嵌合筒３とポールＰとの隙間に急速に硬化するタイプのセメントや接着剤などを充填して固着させることもできる。
【００１６】
　また、図６に示すように、前記フランジ４の側溝用コンクリート蓋直列方向端部４ａを蓋両辺縁１ａより延出させ、その延出部１０が、図７に示すように、隣接する側溝用コンクリート蓋Ｆの底面縁に掛かるようにすれば、前記延出部１０がアンカーとして働いて、両側の側溝用コンクリート蓋Ｆが重しとなってポール式標識の倒れ防止になる。
【００１７】
　また、ポール式標識の倒れ防止の方策として、図７に示すように、前記フランジ４の側溝用コンクリート蓋直列方向端部４ａを蓋両辺縁１ａより二股に延出させ、その延出部１０が隣接する蓋の底面縁に掛かるようにすると共にその各延出部１０の側部に側溝Ｕの内壁面に接するように垂下部１３を形成することもできる。このようにすれば側溝Ｕの内壁面に対して垂下部１３がアンカーとして働く。
【００１８】
　上記のように、両側の側溝用コンクリート蓋に対しては各延出部１０が、側溝Ｕに対しては垂下部１３がそれぞれアンカーとして相乗的に働くので、コンクリート蓋と側溝Ｕとの接触面に接着剤を用いて両者を固着する必要がなくなる。
また、この形態の場合二股部分がバネとして働いて側溝Ｕの若干の寸法誤差に対応してその蓋の落とし込みがしやすくなる。
　なお、図２中の符号１１は水抜き穴、１２は固定ボルト７のワッシャーである。
【産業上の利用可能性】
【００１９】
　本発明は、ポールスタンドを蓋に直立固定させるものなので、側溝用コンクリート蓋以外の各種コンクリート蓋についても適用できる可能性がある。
【図面の簡単な説明】
【００２０】
【図１】本発明の使用状態を示す縦断側面図である。
【図２】各部分を分離した状態を示す斜め下から見た斜視図である。
【図３】組み立て後の斜め下から見た斜視図である。
【図４】本発明の縦断側面図である。
【図５】ポール嵌合筒に固定手段を有する形態の斜視図である。
【図６】フランジが別の形態の斜め下から見た斜視図である。
【図７】図６の形態の使用状態を示す縦断側面図である。
【図８】フランジがまた別の形態の斜め下から見た斜視図である。
【符号の説明】
【００２１】
　　１　　側溝用コンクリート蓋
　　１ａ　側溝用コンクリート蓋両辺縁
　　２　　縦孔
　　３　　ポール嵌合筒
　　３ａ　ポール嵌合筒の下端部
　　４　　フランジ
　　４ａ　フランジの側溝用コンクリート蓋直列方向端部
　　５　　ボルト孔
　　６　　インサート
　　７　　固定ボルト
　　８　　充填材
　　９　　固定手段
　１０　　延出部
　１１　　水抜き孔
　１２　　ワッシャー
　１３　　垂下部
　　Ｐ　　ポール式標識のポール
　　Ｓ　　ポールスタンド
　　Ｆ　　側溝用コンクリート蓋
　　Ｕ　　コンクリート製の段付Ｕ字型側溝
【図１】
2004076582.tif 000003
【図２】
2004076582.tif 000004
【図３】
2004076582.tif 000005
【図４】
2004076582.tif 000006
【図５】
2004076582.tif 000007
【図６】
2004076582.tif 000008
【図７】
2004076582.tif 000009
【図８】
2004076582.tif 000010